(57)【要約】【課題】塗布対象毛に塗布液を濃く塗布する。【解決手段】台座部４の横方向の両端位置において、それぞれ、縦方向に所定のピッチで列を作るように、内倒れした左櫛歯及び右櫛歯を植立させたことにより、左櫛歯及び右櫛歯で囲まれた内部空間に液量が大きくかつ安定な液溜りを形成できる。【選択図】図３
2010046214.tif 000002
【特許請求の範囲】
【請求項１】
台座部に複数の左櫛歯及び右櫛歯を植立してなる液塗布具本体を有し、
上記台座部の横方向の両端位置において、上記左櫛歯及び右櫛歯をそれぞれ縦方向に所定のピッチで列を作るように順次配設することにより、上記左櫛歯と、上記右櫛歯と、上記台座部とによって囲まれた内部空間に形成された液溜りを具え、
上記左櫛歯及び上記右櫛歯は、上記内部空間側に傾くように内倒れしている
ことを特徴とする液塗布具。
【請求項２】
上記左櫛歯及び上記右櫛歯は、それぞれ上記横方向に対を構成するように整列している
ことを特徴とする請求項１に記載の液塗布具。
【請求項３】
上記左櫛歯の列及び上記右櫛歯の列は、互いに１／２ピッチずれた位置に上記左櫛歯及び上記右櫛歯が位置するように整列している
ことを特徴とする請求項１に記載の液塗布具。
【請求項４】
上記左櫛歯及び上記右櫛歯の先端部が上記台座部の横方向のほぼ中央位置に並ぶように、上記内倒れ角度が選定されている
ことを特徴とする請求項１に記載の液塗布具。
【請求項５】
上記左櫛歯及び上記右櫛歯の先端部が上記台座部の横方向のほぼ中央位置におい互に交差するように、上記内倒れ角度が選定されている
ことを特徴とする請求項１に記載の液塗布具。
【請求項６】
台座部に複数の左櫛歯及び右櫛歯を植立してなる液塗布具本体を有し、
上記台座部の横方向の両端位置において、上記左櫛歯及び右櫛歯をそれぞれ縦方向に所定のピッチで列を作るように順次配設することにより、上記左櫛歯と、上記右櫛歯と、上記台座部とによって囲まれた内部空間に形成された液溜りを具え、
上記台座部の位置における上記右櫛歯及び上記右櫛歯の上記横方向の間隔を２．０〔ｍｍ〕以下に選定した
ことを特徴とする液塗布具。
【請求項７】
台座部に複数の左櫛歯及び右櫛歯を植立してなる液塗布具本体を有し、
上記台座部の横方向の両端位置において、上記左櫛歯及び右櫛歯をそれぞれ縦方向に所定のピッチで列を作るように順次配設することにより、上記左櫛歯と、上記右櫛歯と、上記台座部とによって囲まれた内部空間に形成された液溜りを具え、
上記台座部の上記横方向の中央部に中央櫛歯が植立されていると共に、上記左櫛歯及び上記右櫛歯が当該中央櫛歯側に傾くように内倒れしている
ことを特徴とする液塗布具。
【発明の詳細な説明】
【技術分野】
【０００１】
本発明は液塗布具に関し、特に櫛形液塗布具本体を有する構成に適用するものである。
【背景技術】
【０００２】
従来、櫛形液塗布具本体を有する構成の液塗布具としては、塗布対象毛としてまつ毛を塗布するマスカラを用いたマスカラ用液塗布具と、塗布対象毛として頭髪を塗布する毛染め液を用いた毛染め用液塗布具とがある。
【０００３】
この種の液塗布具の基本構成は、図２５において、符号Ｒ１によって全体として示すように、塗布液を収納する塗布液容器Ｒ２の取出口Ｒ３に、キャップＲ４から延長するシャフトＲ５の先端部に液塗布具本体Ｒ６を設け、ユーザがキャップＲ４を手にもって、液塗布具本体Ｒ６を取出口Ｒ３から塗布液容器Ｒ２に差し入れて塗布液容器Ｒ２内に収納されている塗布液に浸した後、これを取出口Ｒ３から外部に引き抜くことにより、液塗布具本体Ｒ６に付着した塗布液を塗布液容器Ｒ２から取出すことができるようになされている。
【０００４】
取出口Ｒ３の内側には柔らかいゴム材料でなる小径環状のしごき部材Ｒ７が設けられており、液塗布具本体Ｒ６を引き抜く際に、液塗布具本体Ｒ６の周囲に付着している余分な塗布液をしごき部材R７によって「しごき落とす」ことにより、外部に取り出した液塗布具本体Ｒ６から塗布液がぼた落ちしないようになされている。
【０００５】
このような基本構成をもつ液塗布具Ｒ１のうち、液塗布具本体Ｒ６としていろいろな櫛歯の構成を特定した液塗布具が提案されている（特許文献１、特許文献２参照）。
【特許文献１】特開２００５−１２５０２１公報
【特許文献２】特開２００５−４６２４３公報
【発明の開示】
【発明が解決しようとする課題】
【０００６】
この種の櫛形液塗布具本体を有する液塗布具においては、塗布液容器Ｒ２から液塗布具本体Ｒ６を引き抜く際に、これがしごき部材Ｒ７によってしごかれることにより、塗布液は櫛を構成する櫛歯間の隙間に保持されている。
【０００７】
その液量は、歯のピッチ幅、歯の肉厚、歯の幅の大きさによって決まるので、多量の塗布液を液塗布具本体Ｒ６に残そうとすると、ピッチ幅を大きくし、かつ肉厚を薄くし、かつ幅を大きくすることが考えられるが、このような多量塗布条件を単純に選定すると、ユーザが塗布操作をしたとき塗布液が「だま」となって塗布対象毛に付着したり、束になった塗布対象毛に塗布液を塗布したりするおそれがある。
【０００８】
またこれらの多量塗布条件を充足させようとすると、液塗布具Ｒ１が全体として太くなる結果、ユーザが鏡を見ながら塗布操作をする際の邪魔になるような結果になるおそれがある。
【０００９】
本発明は以上の点を考慮してなされたもので、保持できる塗布液の液量をできるだけ多くしながらしかもユーザが櫛歯を有効に使いながら好みに応じた塗布操作をできるようにした液塗布具を提案しようとするものである。
【課題を解決するための手段】
【００１０】
かかる課題を解決するため本発明においては、台座部４に複数の左櫛歯５Ｌ及び右櫛歯５Ｒを植立してなる液塗布具本体２を有し、台座部４の横方向の両端位置において、左櫛歯５Ｌ及び右櫛歯５Ｒをそれぞれ縦方向に所定のピッチで列を作るように順次配設されることにより、左櫛歯５Ｌと、右櫛歯５Ｒと、台座部４とによって囲まれた内部空間に形成された液溜り６を具え、左櫛歯５Ｌ及び右櫛歯５Ｒが、内部空間側に傾くように内倒れしているようにする。
【発明の効果】
【００１１】
本発明によれば、液塗布具本体の横方向の両端位置に、それぞれ、縦方向に所定のピッチで列を作るように、内倒れした左櫛歯及び右櫛歯を植立させたことにより、左櫛歯、右櫛歯内の内部空間に多量な塗布液を、安定に保持すると共に、塗布対象毛に対して「だま」を作ることなく塗布できる液塗布具を実現できる。
【発明を実施するための最良の形態】
【００１２】
以下図面について本発明の一実施の形態を詳述する。
【００１３】
（１）第１の実施の形態
図１において、１は全体として液塗布具を示し、キャップＲ４と一体のシャフトＲ５（図２５）の先端に継ぐ塗布具本体２の後端側の継手部３から前方に台座部４が形成されている。
【００１４】
台座部４は図２に示すように、断面が下方に膨らみをもつ「かまぼこ」型形状を有し、図３（Ａ）、（Ｂ）及び（Ｃ）に示すように、平坦な上面４Ａの左右・横方向の両端位置に一対の左櫛歯５Ｌ及び右櫛歯５Ｒが互いに対向しながら所定のピッチＰ１を保ちながら継手部３から前後・縦方向に配列するように植立され、これにより２列の櫛歯列間の互いに対向する内側空間に液溜り６が形成されている。
【００１５】
一対の左櫛歯５Ｌ及び右櫛歯５Ｒはその頭部が内側空間の液溜り６に向かって内側に倒れる（これを内倒れと呼ぶ）ような角度をもつように立設されている。
【００１６】
図２において、左及び右基準線ＬＬ及びＬＲは、左櫛歯５Ｌ及び右櫛歯５Ｒがそれぞれ台座部４に連接する内側の台座左及び右基準点ＰＬ及びＰＲを通って、台座部４の中心線Ｌ０（上面４Ａに対して垂直方向に延長する）と平行に上方に向かって延長しており、左櫛歯５Ｌ及び右櫛歯５Ｒの上端部内側の先端左及び右基準点ＰＡ及びＰＢは内倒れによりそれぞれ左及び右基準線ＬＬ及びＬＲの位置より内側にある。
【００１７】
このようにして左櫛歯５Ｌ及び右櫛歯５Ｒの頭部が内倒れにより液溜り６側に傾いていることにより、液塗布具本体２が塗布液容器Ｒ２（図２５）から引き抜かれて、しごき部材Ｒ７による強制的なしごき処理を受けたとき、液溜り６内にある塗布液が２列の櫛歯列の左櫛歯５Ｌ及び右櫛歯５Ｒの内倒姿勢にそれぞれ囲まれていることにより、外に飛び散るおそれを有効に抑制する、と共に、その塗布液の保持状態をその後も安定に維持することができる。
【００１８】
この実施の形態の場合、台座部４の長手方向の先端位置には、先端区画部材７が立設され、これにより左櫛歯５Ｌ及び右櫛歯５Ｒ間に形成された液溜り６を先端区画部材７と後端側の継手部３との間に挟み込むことにより、液溜り６内の塗布液を安定に保持できるようになされている。
【００１９】
またこの実施の形態の場合、左櫛歯５Ｌ及び右櫛歯５Ｒの先端左及び右基準位置ＰＡ及びＰＢ間の距離は比較的大きい距離Ｄ１に選定されており、これにより左櫛歯５Ｌ及び右櫛歯５Ｒの内倒れ角度を大きな値に特定されており、これによりできるだけ大きい内部空間をもつ液溜り６を確保するようになされている。
【００２０】
液塗布具本体２の実施例として、左櫛歯５Ｌ及び右櫛歯５Ｒは、断面が縦方向（先端方向）に長い楕円形状を有し、先端部において、縦方向の長径０．５［ｍｍ］、横方向の短径０．２［ｍｍ］、縦方向の左櫛歯５Ｌ又は右櫛歯５Ｒ間間隔０．５［ｍｍ］（従って縦方向のピッチ１［ｍｍ］）、横方向の左櫛歯５Ｌ又は右櫛歯５Ｒ間間隔２．５［ｍｍ］に選定しており、また左櫛歯５Ｌ又は右櫛歯５Ｒの内側への倒れ処理は、左櫛歯５Ｌ及び右櫛歯５Ｒを左及び右基準線ＬＬ及びＬＲ上に延長するように液塗布具本体２を合成樹脂材料の射出成型加工によって得た後、外側から内側方向へのプレス加工することにより行う。
【００２１】
以上の構成において、液塗布具１の液塗布具本体２を、塗布液容器Ｒ２（図２５）から引き抜くと、継手部３から先端側の台座部４並びに左櫛歯５Ｌ及び右櫛歯５Ｒと先端区画部材７とがしごき部材Ｒ７によってしごかれることにより、その周囲に付着していた塗布液がしごき落とされることにより、余分な塗布液を塗布液容器Ｒ２から外部に取り出さない（従って「ボタ落ち」を生じさせない）ようにできる。
【００２２】
このとき液溜り６は、その左右の側面を左櫛歯５Ｌ及び右櫛歯５Ｒによって囲まれると共に、前後側面を先端区画部材７及び継手部３によって囲まれていることにより、確実に液溜り６内に保持される。
【００２３】
従ってユーザは継手部３に継がれているキャップＲ４を操作して液塗布具本体２を塗布対象でなるまつ毛に対して少し回動させながら塗布操作をすると、塗布対象であるまつ毛が複数本（直径０．０７〜０．１〔ｍｍ〕程度）ずつ左櫛歯５Ｌ又は右櫛歯５Ｒの隙間を通ることにより液溜り６の塗布液を塗布することができる。
【００２４】
このとき液溜り６に保持されている塗布液は多量であるので、塗布対象であるまつ毛に対して塗布液を濃く塗布することができる。
【００２５】
このようにして複数本の塗布対象毛に対して塗布液を一旦塗布した後、左櫛歯５Ｌ及び右櫛歯５Ｒの断面積が十分に小さくかつピッチも小さいことを利用して、塗布対象に塗布した塗布液を左櫛歯５Ｌ又は右櫛歯５Ｒの上方に突出している先端部を使って毛すきするような操作をすることができるので、塗布対象に「だま」を作らないように修正処理を行うことができる。
【００２６】
（２）第１の実施の形態の第１の変形例
図４及び図５は第１の実施の形態の第１の変形例を示すもので、図２及び図３との対応部分に同一符号を付して示すように、左櫛歯５Ｌ及び右櫛歯５Ｒの内倒れ角度を図２及び図３の場合より大きくしたものである。
【００２７】
この結果、左櫛歯５Ｌ及び右櫛歯５Ｒの先端左及び右基準点ＰＡ及びＰＢ間の距離Ｄ２が図２及び図３の場合と比較して小さい値になる。
【００２８】
このような内倒れ角度の倒れ処理は、左櫛歯５Ｌ及び右櫛歯５Ｒを左及び右基準線ＬＬ及びＬＲ上に延長するように液塗布具本体２を射出成形加工により得た後、プレス加工によって左櫛歯５Ｌ及び右櫛歯５Ｒを外側から内側方向に所定角度だけ内倒れさせるように加工する。
【００２９】
図４及び図５の構成によれば、左櫛歯５Ｌ及び右櫛歯５Ｒの内倒れ角度が大きくなった分左櫛歯５Ｌ及び右櫛歯５Ｒの先端基準点ＰＡ及びＰＢ間の間隔Ｄ２が図２及び図３の場合と比較して一段と狭くなることにより、左櫛歯５Ｌ及び右櫛歯５Ｒ間に形成された液溜り６内に保持されている塗布液を安定に保持しながら、図１〜図３について上述したと同様にユーザによる液の塗布効果を得ることができる。
【００３０】
（３）第１の実施の形態の第２の変形例
図６及び図７は図１〜図３の液塗布具１の第２の変形例を示すもので、図２及び図３との対応部分に同一符号を付して示すように、左櫛歯５Ｌ及び右櫛歯５Ｒの内側への倒れ角度（すなわち内倒れ角度）を図４及び図５の場合と比較してさらに大きくすることにより、左櫛歯５Ｌ及び右櫛歯５Ｒの先端部を交差させる。
【００３１】
この左櫛歯５Ｌ及び右櫛歯５Ｒの交差は互いに対向するように２列に植立された各左櫛歯５Ｌ及び右櫛歯５Ｒが、内側にプレス加工されたとき、互いに干渉し合いながら先端位置を少しずらせることにより、交差した状態に変形される。
【００３２】
図６及び図７の構成によれば、図１〜図３について上述したと同様に、左櫛歯５Ｌ及び右櫛歯５Ｒの内側に形成された液溜り６内に保持された塗布液を安定に維持しながら互いに隣接する櫛歯間の空間を利用して液溜り６内に保持した塗布液を用いて塗布対象毛に対する塗布をなし得る。
【００３３】
これに加えて図６及び図７の場合には、液塗布具本体２を塗布液容器Ｒ２（図１Ｘ）から引き出す際に、内側に大きく倒れた左櫛歯５Ｌ及び右櫛歯５Ｒの外側にもしごき部材Ｒ７によってしごき切れない塗布液が残ってこれが塗布対象毛に対して塗布されることにより、濃い塗布液を塗布対象毛に塗布することができる。
【００３４】
（４）第２の実施の形態
図８〜図１０は第２の実施の形態を示すもので、図１〜図３との対応部分に同一符号を付して示すように、左櫛歯５Ｌの配列に対して、右櫛歯５Ｒの配列を１／２ピッチＰ／２だけずらせた構成を有する。
【００３５】
かくして、図１〜図３の場合は互いに対向する左櫛歯５Ｌ及び右櫛歯５Ｒが同じ整列線Ｋ１上に整列している（図３（Ａ））のに対して、図８〜図１０の実施の形態の場合は、図１０（Ａ）に示すように、右櫛歯５Ｒの配列位置が、左櫛歯５Ｌの整列線Ｋ１に対して、その１／２ピッチだけずれた整列線Ｋ２上に整列するような位置に立設されている。
【００３６】
これにより液塗布具本体２を横から見たとき、左櫛歯５Ｌ及び右櫛歯５Ｒは、図１０（Ｂ）に示すように、継手部３から先端区画部材７に行くに従って、櫛歯が１／２ピッチＰ／２の間隔で配列した構成を有する。
【００３７】
図８〜図１０の実施の形態の場合の右櫛歯５Ｒ及び左櫛歯５Ｌ間の間隔は、図１〜図３の第１の実施の形態の場合のように、大きい値Ｄ１１に選定されている（図１０（Ｃ））。
【００３８】
図８〜図１０の実施の形態によれば、左櫛歯５Ｌ及び右櫛歯５Ｒの配列の内側に十分大きな液溜り６が形成されていることにより、オペレータが好みに応じて横方向について液塗布具本体２を操作すれば、左櫛歯５Ｌ及び右櫛歯５Ｒ間の隙間を通って塗布対象毛としてのまつ毛が液溜り６に保持されている塗布液に触れることにより十分に濃い塗布液を塗布対象毛に塗布することができる。
【００３９】
そして塗布対象毛に一旦塗布した塗布液に対してユーザが、上方に突出している左櫛歯５Ｌ又は右櫛歯５Ｒの先端部を用いて修正操作をすることができる。
【００４０】
これに加えてこの実施の形態の場合には、横方向から見たときの左櫛歯５Ｌ及び右櫛歯５Ｒでなる櫛歯配列間隔が実質上第１の実施の形態（図１〜図３）の場合と比較して半分のピッチの大きさＰ／２になるので、塗布対象毛が櫛歯列を通る際に当該櫛歯列を構成する右櫛歯５Ｒ及び左櫛歯５Ｌが、一段と細かい間隔で、「毛すき」動作をする。
【００４１】
この結果塗布対象毛に対して塗布される塗布液が固まって「だま」になる可能性を一段と低減することができる。
【００４２】
（５）第２の実施の形態の第１の変形例
図１１及び図１２は第２の実施の形態の第１の変形例を示すもので、図４及び図５について上述したと同様にして、左櫛歯５Ｌ及び右櫛歯５Ｒ間の間隔を図８〜図１０の場合の間隔Ｄ１１と比較して狭い間隔Ｄ１２に特定する。
【００４３】
かかる構成によれば、図８〜図１０について上述したように、左櫛歯５Ｌ及び右櫛歯５Ｒ間に大きい液溜りを形成することができると共に、櫛歯間ピッチを半分の大きさＰ／２に半減させることができることにより、塗布対象毛に対する「毛すき」効果を得ることにより、塗布液の「だま」を生ずる可能性を低減できるといった効果を得ることができる。
【００４４】
これに加えて左櫛歯５Ｌ及び右櫛歯５Ｒを内側に倒すようにしたことにより、液溜り６の塗布液を一段と安定に保持できる。
【００４５】
（６）第２の実施の形態の第２変形例
図１３及び図１４は第２の実施の形態の第２の変形例を示すもので、図９及び図１０との対応部分に同一符号を付して示すように、内側に倒した左櫛歯５Ｌ及び右櫛歯５Ｒの先端位置を、台座部４の幅方向のほぼ中央位置上の仮想線Ｃ０上に配列する（図１４（Ａ））ように、左櫛歯５Ｌ及び右櫛歯５Ｒの内倒れ角度を選択する。
【００４６】
かかる構成によれば、図８〜図１０について上述したように、左櫛歯５Ｌ及び右櫛歯５Ｒ間に大きい液溜りを形成することができると共に、櫛歯間ピッチを半分の大きさＰ／２に半減させることができることにより、塗布対象毛に対する「毛すき」効果を得ることにより、塗布液の「だま」を生ずる可能性を低減できるといった効果を得ることができる。
【００４７】
これに加えてこの変形例の場合は、台座部４のほぼ中央位置を通る仮想線ＣＯ上に左櫛歯５Ｌ及び右櫛歯５Ｒの先端位置を揃えるようにしたことにより、ユーザは、当該左櫛歯５Ｌ及び右櫛歯５Ｒの先端部分を用いて、一旦塗布した塗布対象毛の塗布液の調整作業を高い精度で行うことができる。
【００４８】
かくして塗布対象毛に対する「だま」を作らずに濃い塗布液をユーザの好みに応じて塗布することができる。
【００４９】
（７）第２の実施の形態の第３の変形例
図１５及び図１６は第２の実施の形態の第３の変形例を示すもので、この場合左櫛歯５Ｌ及び右櫛歯５Ｒを内側に大きい内倒れ角度で倒すことにより、左櫛歯５Ｌ及び右櫛歯５Ｒの先端部分が互いに交差するように構成されている。
【００５０】
かかる構成によれば、図８〜図１０について上述したように、左櫛歯５Ｌ及び右櫛歯５Ｒ間に大きい液溜りを形成することができると共に、櫛歯間ピッチを半分の大きさＰ／２に半減させることができることにより、塗布対象毛に対する「毛すき」効果を得ることにより、塗布液の「だま」を生ずる可能性を低減できるといった効果を得ることができる。
【００５１】
これに加えてこの変形例の場合は、液塗布具本体２を塗布液容器Ｒ２（図２５）から引き出す際に、内側に大きく倒れた左櫛歯５Ｌ及び右櫛歯５Ｒの外側にもしごき部材Ｒ７によってしごき切れない塗布液が残ってこれが塗布対象毛に対して塗布されることにより、濃い塗布液を塗布対象毛に塗布することができる。
【００５２】
（８）第３の実施の形態
図１７は第３の実施の形態を示すもので、図１〜図３について上述したと同様にして、左櫛歯５Ｌ及び右櫛歯５Ｒが一対ずつ対向しながら並列に配設されていると共に、液溜り６を形成する内部空間において、左櫛歯５Ｌ及び右櫛歯５Ｒの台座部４との交点である台座左基準点ＰＬ及び右基準点ＰＲについて、左基準点ＰＬと右櫛歯５Ｒの右基準点ＰＲとの間の距離Ｄ１０を２〔ｍｍ〕以内の極く小さい値に選定している。
【００５３】
かくして台座部４に左櫛歯５Ｌ及び右櫛歯５Ｒを内側に少し倒した状態で植立してなる液塗布具本体２は、全体として幅狭な外観形状をもっている。
【００５４】
図１７の構成によれば、液溜り６の幅を２〔ｍｍ〕以下の極く小さい値に選定したことにより、液塗布具本体２を塗布液容器から引き抜いたとき液溜り６に保持される塗布液の保持状態を毛細管現象を利用して安定化できる。
【００５５】
このとき液溜り６内に保持されている塗布液は、液溜り６の横幅が狭くなったとは言え、高さ方向には左櫛歯５Ｌ及び右櫛歯５Ｒの高さまで十分な長さをもっていると共に、液塗布具本体２の長さに相当する十分な長さをもっていることにより、ユーザが当該液塗布具本体２によって塗布対象毛に対して塗布操作をしたとき、多量の濃い塗布液を塗布することができる。
【００５６】
かかる塗布操作をするにつき、液塗布具本体２の横幅を十分細くなるように制限したことにより、塗布操作をする際に、ユーザが当該液塗布具本体２によって視界を遮られるようなおそれなく、例えば塗布対象毛の生え際などの細部に対して細かい塗布作業を行い得るような液塗布具１を実現できる。
【００５７】
この場合液塗布具本体２は、図１７（Ｂ）に示すように、図３（Ａ）〜（Ｃ）について上述したと同様に左櫛歯５Ｌ及び右櫛歯５Ｒが一対ずつ対向するように並列に台座部４に植立されている。
【００５８】
（９）第３の実施の形態の第１の変形例
図１８は第３の実施の形態の第１の変形例を示すもので、この場合も左櫛歯５Ｌの先端左基準点ＰＬと、右櫛歯５Ｒの先端右基準点ＰＲとの距離Ｄ１０を２〔ｍｍ〕以内の極く小さい値に選定している（図１８（Ａ））と共に、図１８（Ｂ）に示すように、左櫛歯５Ｌの配列に対して右櫛歯５Ｒの配列が１／２ピッチの値Ｐ／２だけ縦方向にずれた関係をもつように左櫛歯５Ｌ及び右櫛歯５Ｒが台座部４上に配置されている。
【００５９】
これに加えて、左櫛歯５Ｌ及び右櫛歯５Ｒの内側への内倒れ角度を大きい値に特定し、これにより先端左基準点ＰＬ及び先端右基準点ＰＲがそれぞれ基準線ＬＲ及びＬＬより右側及び左側に位置することにより、左櫛歯５Ｌ及び右櫛歯５Ｒは、その先端部が台座部４の幅範囲の外側に突き出すような形状をもっている。
【００６０】
図１８の構成によれば、図１７について上述したと同様に、全体として幅狭に構成されていることにより、ユーザが当該液塗布具本体２によって視界を遮られるようなおそれなく、細かい塗布作業を行い得る。
【００６１】
これに加えて、左櫛歯５Ｌ及び右櫛歯５Ｒが互いに交差していることにより、液塗布具本体２が塗布液容器から引き出されたとき、左櫛歯５Ｌ及び右櫛歯５Ｒと台座部４との間に囲まれた液溜り６に塗布液を保持すると共に、当該液溜り６の外側において、左櫛歯５Ｌ及び右櫛歯５Ｒの先端が外方に突出していることによりしごき残された塗布液が、となり合う櫛歯間の隙間に塗布液が保持されており、これにより塗布対象毛に対して塗布液を多量に濃く塗布できる。
【００６２】
（１０）第３の実施の形態の第２の変形例
図１９は、第３の実施の形態の第２の変形例を示すもので、この場合の液塗布具本体２には図１９（Ａ）に示すように、台座部４に植立された左櫛歯５Ｌ及び右櫛歯５Ｒが内側に倒れずに、上方に直立することにより先端左基準点ＰＬ及び先端右基準点ＰＲがそれぞれ基準線ＬＬ及びＬＲ上に位置する構成を有する。
【００６３】
この変形例の場合の左櫛歯５Ｌ及び右櫛歯５Ｒの列は、図１９（Ｂ）に示すように、台座部４の横方向にピッチＰの間隔を保って一対の左櫛歯５Ｌ及び右櫛歯５Ｒが互いに対向するように植立されている。
【００６４】
かくして図１９（Ａ）及び（Ｂ）の変形例によれば、台座部４の横幅が２〔ｍｍ〕以下の極めて小さいに選定されていることにより、左櫛歯５Ｌ及び右櫛歯５Ｒが内倒れするような構成をもたずに直立しているとしても、その内側に形成された液溜り６に保持された塗布液が毛細管作用によりユーザの意に反して飛散するようなおそれを有効に回避できる。
【００６５】
かくして図１７及び図１８について上述したと同様にして、ユーザの塗布対象毛に対する細かい塗布作業の際に邪魔になるような不都合がなく、ユーザにとって使い勝手のよい液塗布具を実現できる。
【００６６】
図１９（Ｃ）は他の変形例を示すもので、この場合は図１９（Ｂ）の場合とは異なり、左櫛歯５Ｌの配列に対して、右櫛歯５Ｒが１／２ピッチの値Ｐ／２だけずれた位置に植立されている。
【００６７】
この図１９（Ａ）及び（Ｃ）の変形例の場合も、図１９（Ａ）及び（Ｂ）について上述した並列の場合と同様の作用効果を得ることができる。
【００６８】
（１１）他の実施の形態
（１１−１）図２０は、他の実施の形態（１）を示すもので、図１〜図３において一対の左櫛歯５Ｌ及び右櫛歯５Ｒ（図２）を順次縦方向に配列させた構成に代えて、一対の左櫛歯５Ｌ及び右櫛歯５Ｒ間の中心線Ｌ０の位置に、中心櫛歯２０を台座部４の中心線Ｌ０上に延長するように植立させた構成を有する。
【００６９】
かくして液塗布具本体２は、台座部４の上面４Ａと、左櫛歯５Ｌの列及び右櫛歯５Ｒの列とによって囲まれるとともに、中心位置に中心櫛歯２０の列を設けた液溜り６を有する。
【００７０】
図２０の場合、左櫛歯５Ｌ及び右櫛歯５Ｒは液溜り６の底部両端の台座左基準点ＰＬ及び台座右基準点ＰＲを通って中心線Ｌ０と平行に上方に延長する左基準線ＬＬ及び右基準線ＬＲを基準にして、左櫛歯５Ｌ及び右櫛歯５Ｒの先端左基準点ＰＡ及び先端右基準点ＰＢがその内側に位置するように、左櫛歯５Ｌ及び右櫛歯５Ｒが中心櫛歯２０側に内倒れするように構成されている。
【００７１】
図２０の構成において、内側に倒れるように形成された左櫛歯５Ｌ及び右櫛歯５Ｒによって囲まれるように液溜り６が形成されていることにより、塗布液容器Ｒ２（図２５）から液塗布具本体２が引き抜かれたとき、液溜り６には多量の塗布液が保持される。
【００７２】
従って、ユーザが液塗布具本体２を塗布対象毛に対して横方向からすくように毛すき操作すれば、順次隣接するように形成された左櫛歯５Ｌ、右櫛歯５Ｒ及び中央櫛歯２０間の隙間を当該塗布対象毛が通ることにより液溜り６に保持された塗布液を塗布対象毛に対して濃く塗布することができる。
【００７３】
この一旦塗布された塗布液については、液塗布具本体２の上部中心部分において上方に突出する中心櫛歯２０の先端部と、その左右に位置する左櫛歯５Ｌ及び右櫛歯５Ｒの先端部部とを用いてユーザは塗布液の調整操作をすることができる。
【００７４】
この中心位置にある中心櫛歯２０並びに左櫛歯５Ｌ及び右櫛歯５Ｒの先端部はそれ自体縦方向に並ぶ櫛を構成しているので、ユーザは塗布対象毛を１本１本すくような毛すき動作をする。
【００７５】
かくして図２０の構成の液塗布具本体２を用いることにより、ユーザは塗布対象毛に対して濃い塗布液を塗布できると共に、その１本１本に対して中心櫛歯２０並びに左櫛歯５及び右櫛歯５Ｒの先端部によって毛すきをする調整操作をすることができることにより、塗布対象毛に「だま」を付着させることなく濃い塗布液を塗布することができる。
【００７６】
（１１−２）図２１は、図２０の実施の形態に対する変形例とも言い得る他の実施の形態（２）を示す。
【００７７】
図２１の実施の形態の場合、図２０と比較して、液溜り６内に、中心櫛歯２０の左及び右位置に、それぞれ２本の櫛歯を設ける。
【００７８】
すなわち、中心櫛歯２０の左側には、台座部４の上面４Ａの第１台座左基準点ＰＬ１及び第２台座左基準点ＰＬ２を通って中心線Ｌ０と平行な２本の左基準線ＬＬ１及びＬＬ２に対して、第１左櫛歯５Ｌ１及び第２左櫛歯５Ｌ２の先端の第１左先端基準点ＰＡ１及び第２左先端基準点ＰＡ２が左台座基準線ＬＬ１及びＬＬ２より内側に位置するように第１左櫛歯５Ｌ１及び第２左櫛歯５Ｌ２の先端部が中央櫛歯２０側に内倒れするように成形されている。
【００７９】
また液溜り６の右側において、台座部４の上面４Ａ上の第１右台座基準点ＰＲ１及び第２右台座基準点ＰＲ２を通って中心線Ｌ０とほぼ平行に立ち上がる２本の右基準線ＬＲ１及びＬＲ２に対して、第１右櫛歯５Ｒ１及び第２右櫛歯５Ｒ２の第１右先端基準点ＰＢ１及び第２右先端点ＰＢ２が内側に位置するように、第１右櫛歯５Ｒ１及び第２右櫛歯５Ｒ２の先端部が中心櫛歯２０側に内倒れするように成形されている。
【００８０】
図２１の構成によれば、内側に倒れるように成形された第１左櫛歯５Ｌ１及び第２左櫛歯５Ｌ２と、第１右櫛歯５Ｒ１及び第２右櫛歯５Ｒ２とによって液溜り６が囲まれていることにより、図２１の液塗布具本体２を塗布液容器２Ｒ（図２５）から引き抜いたとき、液溜り６内に多量の塗布液が保持される。
【００８１】
これによりユーザが液塗布具本体２を塗布対象毛に塗布操作をすれば、縦方向に順次配列されている中央櫛歯２０並びに第１左櫛歯５Ｌ１、第２左櫛歯５Ｌ２及び第１右櫛歯５Ｒ１、第２右櫛歯５Ｒ２間の隙間を塗布対象毛が通ることにより、液溜り６に保持されている多量の塗布液が濃く塗布される。
【００８２】
このようにして一旦濃く塗布された塗布液については、中心櫛歯２０並びに第１左櫛歯５Ｌ１、第２左櫛歯５Ｌ２及び第１右櫛歯５Ｒ１、第２右櫛歯５Ｒ２の先端部によって塗布対象毛を１本ずつすくような毛すき操作をすることにより、塗布対章毛に濃く塗布した塗布液に「だま」を生じさせないように修正操作をすることができる。
【００８３】
この修正操作は中心櫛歯２０並びに第１左櫛歯５Ｌ１、第２左櫛歯５Ｌ２及び第１右櫛歯５Ｒ１、第２右櫛歯５Ｒ２の先端部分が、台座部４の縦方向に順次櫛歯を形成するように順次配列されていることにより簡便に修正操作をすることができる。
【００８４】
（１１−３）図２２は他の実施の形態（３）を示すもので、図１の実施の形態との対応部分に同一符号を付して示すように、台座部４上に左櫛歯５Ｌ及び右櫛歯５Ｒでなる２列の櫛歯間に形成された液溜り６に対して、これと連通するようなすり割り３１Ａを先端区画部材７に設けると共に、継手部３にも液溜り６と連通するすり割り３１Ｂを設ける。
【００８５】
図２２のようなすり割り３１Ａ及び３１Ｂを設けるようにしたことにより、塗布液容器に対して液塗布具本体２を出し入れしたとき、すり割り３１Ａ及び３１Ｂを介して液溜り６内を塗布液容器内に入れられている塗布液が流れることにより、液溜り６の全体について過不足なく塗布液を充満させることができる。
【００８６】
かくして図２２の構成によれば、塗布液容器から単に液塗布具本体２を引き出すだけで、液溜り６に塗布液を充満状態に保持した状態を得ることができることにより、塗布対象毛に対する塗布効果を一段と高めることができる。
【００８７】
（１１−４）図２３はさらに他の実施の形態（４）を示すもので、この場合液溜り６は、歯部液溜り部６Ｘ１と台座部液溜り部６Ｘ２とによって構成されている。
【００８８】
歯部液溜り部６Ｘ１は、図１〜図３、図４〜図５及び図６〜図７について上述したと同様に、左櫛歯５Ｌと右櫛歯５Ｒによって囲まれた空間に相当し、これにより液塗布具本体２を塗布液容器Ｒ２（図２５）から引き抜いたとき、左櫛歯５Ｌ及び右櫛歯５Ｒ間に形成される歯部液溜り部６Ｘ１に塗布液を保持するようになされており、これにより図１〜図３、図４〜図５及び図６〜図７について上述したと同様の液量の塗布液を保持する。
【００８９】
これに加えて図２３の場合には、図１〜図３、図４〜図５及び図６〜図７の場合の台座部４の上面４ＡのレベルＬＸから、さらに下方のレベルＬＸ１まで凹部空間が堀り下げられ、当該堀り下げられた凹部空間が台座部液溜り部６Ｘ２として用いられる。
【００９０】
台座部液溜り部６Ｘ２の底面の左右両端位置には、台座液溜り部左基準点ＰＬＸ２及び台座液溜り部右基準点ＰＲＸ２が設定され、この基準点を通って中央線ＬＯと平行に上方に左基準線ＬＬ及び右基準線ＬＲを設定する。
【００９１】
かくして左櫛歯５Ｌの先端左基準点ＰＡが左基準線ＬＬより内側の点に位置するように、左櫛歯５Ｌが内側に倒れるように形成され、これにより実線図示の第１の左櫛歯５Ｌ１の構成が得られる。
【００９２】
また右櫛歯５Ｒの先端右基準点ＰＢが右基準線ＬＲの内側の点に位置することにより右櫛歯５Ｒが内側に少し倒れた第１の右櫛歯５Ｒ１の構成が得られる。
【００９３】
この第１の構成を基準にして、左櫛歯５Ｌ及び右櫛歯５Ｒがプレス加工によりさらに大きい内倒れ角度で内側に倒れるようにプレス加工されることにより、第２の左櫛歯５Ｌ２及び右櫛歯５Ｒ２が第２の構成として得られる。
【００９４】
当該内倒れ角度をさらに大きくすることにより、左櫛歯及び右櫛歯が交差するまで内側に倒すと、第３の左櫛歯５Ｌ３及び右櫛歯５Ｒ３の構成が得られる。
【００９５】
このようにして左櫛歯５Ｌ及び右櫛歯５Ｒの内倒れ構成は、台座部４を台座液溜り部左基準点ＰＬＸ２及び台座液溜り部右基準点ＰＲＸ２を中心として内側に倒すことにより形成される。
【００９６】
図２３の構成によれば、左櫛歯５Ｌ（５Ｌ１、５Ｌ２、５Ｌ３）と、右櫛歯５Ｒ（５Ｒ１、５Ｒ２、５Ｒ３）によって囲まれた歯部液溜り部６Ｘ１に保持される塗布液の液量は、図１〜図７の場合とほぼ同様であるのに対して、この場合はさらに台座部４内に形成された台座部液溜り部６Ｘ２にも塗布液を保持することができる。
【００９７】
かくして、液塗布具本体２内にさらに一段と多量の塗布液を保持できることにより、ユーザが塗布液容器Ｒ２から液塗布具本体２を小刻みに引き出さなくとも濃い塗布液を塗布対象毛に塗布できる液塗布具を実現できる。
【００９８】
（１１−５）図２４（Ａ）〜（Ｃ）は液塗布具本体の使い方の多様化の説明に供するもので、左櫛歯５Ｌの列と右櫛歯５Ｒの列とを台座部４の長手方向に植立させた場合、台座部４の長手方向に対して直行する方向（すなわち横方向）から塗布対象毛に対して塗布操作をしたとき、塗布対象毛は図２４（Ａ）に示すように、順次長手方向に配列されている一対の左櫛歯５Ｌ及び右櫛歯５Ｒによって干渉されることにより当該左櫛歯５Ｌ及び右櫛歯５Ｒ間の隙間Ｗ１を通って台座部４を横切ることになり、これにより当該隙間Ｗ１に保持されている塗布液が塗布対象毛に塗布される。
【００９９】
このとき、塗布対象毛が通った隙間に保持されていた塗布液は塗布対象毛に塗布されることにより使われて減少ないし無くなるが、その跡には周囲に未だ使われずに残っている塗布液が流れて来ることになる。
【０１００】
図２４（Ａ）の塗布操作の場合、横方向の隙間Ｗ１の縦方向幅は左櫛歯５Ｌ及び右櫛歯５Ｒ間の間隔の全体を使う最も大きい広さになるので、この最も大きい広さの隙間に保持されている塗布液の液量も最も多くなるので、当該横方向の隙間Ｗ１を通った塗布対象毛には多量の、従って濃い塗布液が塗布されることになる。
【０１０１】
これに対して図２４（Ｂ）に示すように、ユーザが台座部４の延長方向ａを操作方向ｂに対して直行させずに少し斜交させるように傾けた状態で塗布操作をすると、順次縦方向に並ぶ左櫛歯５Ｌの配列と右櫛歯５Ｒの配列とによって干渉されることにより塗布対象毛が通過できる横方向の隙間Ｗ２が直交する場合（図２４（Ａ）の場合）と比較して狭くなる。
【０１０２】
この結果、横方向の隙間Ｗ２が狭くなった分塗布対象毛に対して塗布される塗布液の液量が少なくなるため、塗布対象毛に塗布される塗布液が図２４（Ａ）の場合と比較して少し薄くなる。
【０１０３】
さらに、図２４（Ｃ）に示すように、台座部４の延長方向ａと塗布操作方向ｂとの斜交角度がさらに大きくするようにユーザが斜め方向に台座部４を操作すると、左櫛歯５Ｌの列と右櫛歯５Ｒの列との干渉により左櫛歯５Ｌ及び右櫛歯５Ｒの間を通過できる横方向の隙間Ｗ３の幅が図２４（Ｂ）の場合と比較してさらに狭くなる。
【０１０４】
この結果左櫛歯５Ｌ及び右櫛歯５Ｒ間に保持されている塗布液のうち、横方向の隙間Ｗ３を通る際に塗布対象毛に塗布される塗布液の液量は、図２４（Ｂ）の場合と比較してさらに少なくなるので、さらに一段と薄い塗布液が塗布対象毛に塗布されることになる。
【０１０５】
このように左櫛歯５Ｌの列と右櫛歯５Ｒの列とが並列に設けられた台座部４を有する液塗布具本体２を用いて塗布対象毛に対する塗布液を塗布する実施の形態においては、台座部４の延長方向ａとその横方向への塗布操作方向ｂとの交差角度をユーザの好みに応じて変更すれば、塗布対象毛に対する塗布液の液量を適正に選択することができる。
【０１０６】
かくするにつき、左櫛歯５Ｌと右櫛歯５Ｒと台座部４との間には多量の塗布液を保持することができることにより、液塗布具本体２を頻繁に塗布液容器Ｒ２に差し込んで塗布液を補充する必要なくユーザが意図した塗布量を適正に選択しながら塗布対象毛に対する塗布液の塗布操作をすることができる。
【０１０７】
（１１−６）上述の実施の形態においては、塗布液としてマスカラを用いてこれを塗布対象毛としてまつ毛に対して塗布する場合について述べたが、本発明はこれに限らず、塗布液として頭髪の毛染め液を用いてこれを頭髪に対して毛染めする場合にも適用できる。
【０１０８】
この場合左櫛歯５Ｌ及び右櫛歯５Ｒと、台座部４との間に保持される塗布液の液量を十分に大きくすることができることにより、塗布液容器からの補充操作の回数を低減できることにより、ユーザの塗布操作を一段と簡易化できる。
【産業上の利用可能性】
【０１０９】
本発明はマスカラや毛染め液を塗布対象毛に塗布する場合に利用できる。
【図面の簡単な説明】
【０１１０】
【図１】本発明による液塗布具の第１の実施の形態を示す斜視図である。
【図２】図１のＡ−Ａ断面図である。
【図３】（Ａ）、（Ｂ）及び（Ｃ）は図１の液塗布具本体２の左・右櫛歯の配置を示す平面図、側面図及び正面図である。
【図４】第１の実施の形態の第１の変形例を示すＡ−Ａ断面図である。
【図５】（Ａ）、（Ｂ）及び（Ｃ）は図４の液塗布具本体の左・右櫛歯の配置を示す平面図、側面図及び正面図である。
【図６】第１の実施の形態の第２の変形例を示すＡ−Ａ断面図である。
【図７】（Ａ）、（Ｂ）及び（Ｃ）は図６の液塗布具本体２の左・右櫛歯の配置を示す平面図、側面図及び正面図である。
【図８】本発明による液塗布具の第２の実施の形態を示す斜視図である。
【図９】図８のＢ−Ｂ断面図である。
【図１０】図９の液塗布具本体における左・右櫛歯の配置を示す平面図、側面図及び正面図である。
【図１１】第２の実施の形態の第１の変形例を示すＢ−Ｂ断面図である。
【図１２】（Ａ）、（Ｂ）及び（Ｃ）は図１１の液塗布具本体の左・右櫛歯の配置を示す平面図、側面図及び正面図である。
【図１３】第２の実施の形態の第２の変形例を示すＢ−Ｂ断面図である。
【図１４】図１３の液塗布具本体の左・右櫛歯の配置を示す平面図、側面図及び正面図である。
【図１５】第２の実施の形態の第３の変形例を示すＢ−Ｂ断面図である。
【図１６】（Ａ）、（Ｂ）及び（Ｃ）は図１５の液塗布具本体の左・右櫛歯の配置を示す平面図、側面図及び正面図である。
【図１７】（Ａ）及び（Ｂ）は本発明による液塗布具の第３の実施の形態の液塗布具本体を示すＡ−Ａ断面図及び平面図である。
【図１８】（Ａ）及び（Ｂ）は第３の実施の形態の第１の変形例を示すＡ−Ａ断面図及び平面図である。
【図１９】（Ａ）、（Ｂ）及び（Ｃ）は第３の実施の形態の第２の変形例を示すＡ−Ａ断面図、並列構造の平面図及びずれ構造の平面図である。
【図２０】本発明の他の実施の形態（１）における液塗布具本体２を示す断面図である。
【図２１】他の実施の形態（２）の液塗布具本体を示す断面図である。
【図２２】他の実施の形態（３）の液塗布具本体を示す斜視図である。
【図２３】他の実施の形態（４）の液塗布具本体を示す断面図である。
【図２４】（Ａ）、（Ｂ）及び（Ｃ）は液塗布具本体の用法の多様化の説明に供する略線図である。
【図２５】液塗布具の基本構成を示す斜視図である。
【符号の説明】
【０１１１】
１……液塗布具、２……液塗布具本体、３……継手部、４……台座部、５Ｌ……左櫛歯、５Ｒ……右櫛歯、６……液溜り、７……先端区画部材。
【図１】
2010046214.tif 000003
【図２】
2010046214.tif 000004
【図３】
2010046214.tif 000005
【図４】
2010046214.tif 000006
【図５】
2010046214.tif 000007
【図６】
2010046214.tif 000008
【図７】
2010046214.tif 000009
【図８】
2010046214.tif 000010
【図９】
2010046214.tif 000011
【図１０】
2010046214.tif 000012
【図１１】
2010046214.tif 000013
【図１２】
2010046214.tif 000014
【図１３】
2010046214.tif 000015
【図１４】
2010046214.tif 000016
【図１５】
2010046214.tif 000017
【図１６】
2010046214.tif 000018
【図１７】
2010046214.tif 000019
【図１８】
2010046214.tif 000020
【図１９】
2010046214.tif 000021
【図２０】
2010046214.tif 000022
【図２１】
2010046214.tif 000023
【図２２】
2010046214.tif 000024
【図２３】
2010046214.tif 000025
【図２４】
2010046214.tif 000026
【図２５】
2010046214.tif 000027